(57)【要約】【課題】  強度を確保し、かつ、引き戸の取付けまたは取外し作業が容易にできる引き戸ユニットおよび引き戸ユニットの組立方法を提供することを課題とする。【解決手段】  左右一対の戸先側縦枠２１および戸尻側縦枠２２と上下の横枠とから方形枠状に形成された外枠と、この外枠の前後方向両側に接合される一対の中枠３，３と、この中枠３の戸先側面（補強材取付部３２）に中枠３に沿って取り付けられる補強材４と、外枠内を摺動する引き戸５と、を有し、戸尻側縦枠２２から中枠３までの外枠内空間に戸袋７を形成し、補強材４から戸先側縦枠２１までに出入口８としての開口部を形成する引き戸ユニット１であって、中枠３と戸先側縦枠２１までの間隔Ｌ１が引き戸５の横長さ以上であり、補強材４は、引き戸５の戸先５ａが戸先側縦枠２１に当接した状態にあるとき、引き戸５の戸尻５ｂを被覆していることを特徴とする。【選択図】      図２
2006002476.tif 000002
【特許請求の範囲】
【請求項１】
左右一対の戸先側縦枠および戸尻側縦枠と上下の横枠とから方形枠状に形成された外枠と、
この外枠の前後方向両側に接合される一対の中枠と、
この中枠の戸先側面に前記中枠に沿って取り付けられる補強材と、
前記外枠内を摺動する引き戸と、を有し、
前記戸尻側縦枠から前記中枠までの前記外枠内空間に戸袋を形成し、前記補強材から前記戸先側縦枠までに出入口としての開口部を形成する引き戸ユニットであって、
前記中枠と前記戸先側縦枠までの間隔が前記引き戸の横長さ以上であり、前記補強材は、前記引き戸の戸先が前記戸先側縦枠に当接した状態にあるとき、前記引き戸の戸尻を被覆していることを特徴とする引き戸ユニット。
【請求項２】
前記補強材および前記中枠に嵌合するカバー部材が設けられていることを特徴とする請求項１に記載の引き戸ユニット。
【請求項３】
左右一対の戸先側縦枠および戸尻側縦枠と上下の横枠とから方形枠状に形成された外枠と、
この外枠の前後方向両側に接合される一対の中枠と、
この中枠の戸先側面に前記中枠に沿って取り付けられる補強材と、
前記外枠内を摺動する引き戸と、を有し、
前記戸尻側縦枠から前記中枠までの前記外枠内空間に戸袋を形成し、前記補強材から前記戸先側縦枠までに出入口としての開口部を形成する引き戸ユニットであって、
前記戸先側縦枠は、前記引き戸の戸先が当接する側に形成される凹部と、この凹部に着脱自在な嵌入部材とを有し、前記凹部から前記補強材までの間隔が前記引き戸の横長さ以上であり、前記凹部に嵌入された嵌入部材と前記補強材までの間隔が前記引き戸の横長さ以下であることを特徴とする引き戸ユニット。
【請求項４】
左右一対の戸先側縦枠および戸尻側縦枠と上下の横枠とから方形枠状に形成された外枠と、この外枠の前後方向両側に接合される一対の中枠と、この中枠の戸先側面に前記中枠に沿って取り付けられる補強材と、前記外枠内を摺動する引き戸と、を有し、前記戸尻側縦枠から前記中枠までの前記外枠内空間に戸袋を形成し、前記補強材から前記戸先側縦枠までに出入口としての開口部を形成し、前記中枠と前記戸先側縦枠までの間隔が前記引き戸の横長さ以上であり、前記補強材は、前記引き戸の戸先が前記戸先側縦枠に当接した状態にあるとき、前記引き戸の戸尻を被覆する引き戸ユニットの組立方法であって、
前記外枠に前記中枠を接合する工程と、
前記戸尻側縦枠から前記中枠まで壁ボードを連結する工程と、
前記開口部に対して正面を向けた状態で前記引き戸を前記外枠内に設置する工程と、
前記中枠の戸先側面に前記中枠に沿って補強材を取り付ける工程と、
を有することを特徴とする引き戸ユニットの組立方法。
【発明の詳細な説明】
【技術分野】
【０００１】
本発明は、建物に設置される引き戸ユニットおよび引き戸ユニットの組立方法に関するものである。
【背景技術】
【０００２】
近年、ユニバーサルデザインの観点から、開閉が容易な引き戸が注目を浴びている。
一般に、引き戸ユニットには、引き戸の片面側にのみ壁ボードを設置し、その反対側は開放した片面タイプの戸袋を有するものがあるほか、引き戸の両面側を壁ボードで覆う両面タイプの戸袋を有するものがある（例えば、特許文献１参照）。両面タイプの戸袋を有する引き戸ユニットは、片側に戸袋が露出することがないことからデザイン性も良く、また、戸袋の向きによる使い勝手の制約もないことから、各部屋の間仕切りとして活用されつつある。
【０００３】
特許文献１に記載の引き戸ユニットでは、まず、建物の開口部に設置された引き戸枠の両側から、引き戸枠の略半分の大きさに形成された壁ボードを貼り付けて、この壁ボード間の空間を戸袋としている。そして、引き戸は、引き戸枠の開口部分（つまり出入口になる部分）より横方向に長いため、引き戸を引き戸枠内に設置するときは、開口部分から戸袋に対して斜めに挿入しながら、嵌め込むようになっている。
【特許文献１】特開平１０−４６９２３号公報（段落０００９，００１８、図２）
【発明の開示】
【発明が解決しようとする課題】
【０００４】
しかしながら、前記従来技術の引き戸ユニットでは、引き戸を戸袋に対して斜めに挿入するため、引き戸枠に引っ掛けて傷つけるおそれがあった。また、引き戸をメンテナンスする際も、戸袋から斜め向きに引き出すように外すため、同様に、引き戸を引き戸枠で傷つけるおそれがあった。そのため、引き戸の設置や取り外しは慎重に行う必要があり、手間がかかるという問題があった。
この点、設置に関しては、予め引き戸を設置した状態の引き戸枠を建物に取り付ける方法も考えられる。しかし、引き戸枠を建物に取り付けてからでないと壁ボードを貼り付けられない関係上、この方法では、引き戸枠に壁ボードを貼り付ける作業中に引き戸を傷つけるおそれがあった。
また、前記従来技術の引き戸ユニットでは、引き戸ユニットに貼る壁ボードの出っ張りを防止すべく、壁ボードの厚みを薄くしているが、薄くした分の強度対策がされておらず、強度不足の問題があった。
【０００５】
そこで、本発明では、強度を確保し、かつ、引き戸の取付けまたは取外し作業が容易にできる引き戸ユニットおよび引き戸ユニットの組立方法を提供することを課題とする。
【課題を解決するための手段】
【０００６】
前記課題を解決するため、請求項１に係る発明は、左右一対の戸先側縦枠および戸尻側縦枠と上下の横枠とから方形枠状に形成された外枠と、この外枠の前後方向両側に接合される一対の中枠と、この中枠の戸先側面に前記中枠に沿って取り付けられる補強材と、前記外枠内を摺動する引き戸と、を有し、前記戸尻側縦枠から前記中枠までの前記外枠内空間に戸袋を形成し、前記補強材から前記戸先側縦枠までに出入口としての開口部を形成する引き戸ユニットであって、前記中枠と前記戸先側縦枠までの間隔が前記引き戸の横長さ以上であり、前記補強材は、前記引き戸の戸先が前記戸先側縦枠に当接した状態にあるとき、前記引き戸の戸尻を被覆していることを特徴とする。
【０００７】
請求項１に記載の引き戸ユニットでは、中枠の戸先側面に補強材が別部材として取り付けられている点に最大の特徴がある。
まず、外枠と中枠が設けられていることで、この中枠と戸尻側縦枠間を連結するように戸袋用の壁ボードを貼り付けることができる。
そして、中枠と補強材は別々に構成されているので、この補強材を中枠に取り付ける前、つまり、補強材が取り付けられていない分、出入口側に引き戸の横長さ以上の開口があるときに、引き戸を開口部正面に向けた状態で外枠内に設置することができる。また、その後、補強材を中枠に取り付けて、引き戸の戸先が戸先側縦枠に当接した状態にあるとき、つまり、引き戸が閉じられているときに、引き戸の戸尻を被覆して、補強材と戸先側縦枠間に形成される出入口の開口部を適度に調節している。
従って、壁ボードの貼り付け等内装作業後に引き戸を設置できるので、引き戸を傷つけることがない。また、引き戸を正面に向けて取り付けることができるので、取付作業を容易にすることができる。さらに、補強材を取り付けることで、外枠の補強をすることができるため、貼り付ける壁ボードの壁厚を薄くできる。また、出入口の開口部を適度に調節できる。そして、中枠から補強材を取り外すことで、出入口の開口部が大きくなるので、引き戸の取り外し、メンテナンスも容易にできる。
なお、中枠に補強材を取り付ける手段としては、両面テープ、接着剤等の手段がある。
【０００８】
請求項２に係る発明は、請求項１に記載の引き戸ユニットにおいて、前記補強材および前記中枠に嵌合するカバー部材が設けられていることを特徴とする。
【０００９】
請求項２に係る引き戸ユニットによれば、補強材および中枠にカバー部材を嵌合することで、互いの取付強度を確保することができるとともに、見栄えも良くすることができる。
【００１０】
請求項３に係る発明は、左右一対の戸先側縦枠および戸尻側縦枠と上下の横枠とから方形枠状に形成された外枠と、この外枠の前後方向両側に接合される一対の中枠と、この中枠の戸先側面に前記中枠に沿って取り付けられる補強材と、前記外枠内を摺動する引き戸と、を有し、前記戸尻側縦枠から前記中枠までの前記外枠内空間に戸袋を形成し、前記補強材から前記戸先側縦枠までに出入口としての開口部を形成する引き戸ユニットであって、前記戸先側縦枠は、前記引き戸の戸先が当接する側に形成される凹部と、この凹部に着脱自在な嵌入部材とを有し、前記凹部から前記補強材までの間隔が前記引き戸の横長さ以上であり、前記凹部に嵌入された嵌入部材と前記補強材までの間隔が前記引き戸の横長さ以下であることを特徴とする。
【００１１】
請求項３に係る引き戸ユニットによれば、外枠と中枠が設けられていることで、この中枠と戸尻側縦枠間を連結するように戸袋用の壁ボードを貼り付けることができる。そして、引き戸を外枠内に設置した後、補強材を中枠に取り付けることができるほか、補強材を中枠に取り付けた後であっても、引き戸の戸先側縦枠に凹部が設けられているため、引き戸をこの凹部に挿入しながら外枠内に設置することができる。また、引き戸を設置した後、凹部に嵌入部材を装着する。このとき、引き戸の戸先が嵌入部材に当接するときは、嵌入部材と補強材までの間隔が引き戸の横長さ以下であることから、引き戸は出入口の開口部を必ず覆うことができる。また、引き戸のメンテナンス時は、嵌入部材を取り外し、凹部に引き戸を挿入しながら、戸尻側を外側に引き出すことで引き戸を外枠内から取り外すことが容易にできる。
【００１２】
請求項４に係る発明は、左右一対の戸先側縦枠および戸尻側縦枠と上下の横枠とから方形枠状に形成された外枠と、この外枠の前後方向両側に接合される一対の中枠と、この中枠の戸先側面に前記中枠に沿って取り付けられる補強材と、前記外枠内を摺動する引き戸と、を有し、前記戸尻側縦枠から前記中枠までの前記外枠内空間に戸袋を形成し、前記補強材から前記戸先側縦枠までに出入口としての開口部を形成し、前記中枠と前記戸先側縦枠までの間隔が前記引き戸の横長さ以上であり、前記補強材は、前記引き戸の戸先が前記戸先側縦枠に当接した状態にあるとき、前記引き戸の戸尻を被覆する引き戸ユニットの組立方法であって、前記外枠に前記中枠を接合する工程と、前記戸尻側縦枠から前記中枠まで壁ボードを連結する工程と、前記開口部に対して正面を向けた状態で前記引き戸を前記外枠内に設置する工程と、前記中枠の戸先側面に前記中枠に沿って補強材を取り付ける工程と、を有することを特徴とする。
【００１３】
請求項４に係る引き戸ユニットの組立方法によれば、まず、中枠が接合された外枠に、この中枠と戸尻側縦枠間に壁ボードを連結し、壁ボード間に戸袋を形成する。そして、補強材を中枠に取り付ける前、つまり、補強材が取り付けられていない分、出入口側に引き戸の横長さ以上の開口があるときに、引き戸を出入口正面に向けた状態で外枠内に設置する。その後、補強材を中枠に取り付けて、引き戸の戸先が戸先側縦枠に当接した状態にあるとき、つまり、引き戸が閉じられているときに、引き戸の戸尻を被覆して、補強材と戸先側縦枠間に形成される出入口の開口部を適度に調節する。
従って、壁ボードの貼り付け等内装作業後に引き戸を設置できるので、引き戸を傷つけることがない。また、引き戸を正面に向けて取り付けることができるので、取付作業を容易にすることができる。さらに、補強材を取り付けることで、外枠の補強をすることができるため、貼り付ける壁ボードの壁厚を薄くできる。また、出入口の開口部を適度に調節できる。そして、中枠から補強材を取り外すことで、出入口の開口部が大きくなるので、引き戸の取り外し、メンテナンスも容易にできる。
なお、中枠に補強材を取り付ける手段としては、両面テープ、接着剤等の手段がある。
【発明の効果】
【００１４】
本発明に係る引き戸ユニットおよびその組立方法によれば、壁ボードの貼り付け等内装を仕上げた後、引き戸を容易に取り付けられるので、引き戸等の建具が施工中に傷つくこともなく、各枠の養生も不要で、ローコストの施工が可能となる。また、補強材を取り付けることで、強度も確保することができるため、貼り付ける壁ボードの壁厚も薄くできる。さらに、請求項１および請求項２に係る引き戸ユニットでは、補強材を取り外すことで、出入口の開口部を大きくし、容易に引き戸を取り外すことができる。また、請求項３に係る引き戸ユニットでは、嵌入部材を取り外すことで、容易に引き戸を取り外すことができる。
【発明を実施するための最良の形態】
【００１５】
次に、本発明の第１の実施形態について、適宜図面を参照しながら詳細に説明する。図１は、本発明に係る引き戸ユニットの一部破断斜視図である。なお、図１に示す、建物に取り付けられるときの引き戸ユニットの状態を基準に、前後左右の方向を定め、以下、説明するものとする。
【００１６】
図１に示すように、本実施形態に係る引き戸ユニット１は、方形枠状に形成された外枠２と、この外枠２の前後方向両側に接合される一対の中枠３，３と、この中枠３の戸先側面に取り付けられる補強材４と、外枠２の枠内を移動する上吊式の引き戸５とを備えて構成されている。そして、外枠２の両側には、壁ボード６，６が貼り付けられており、外枠２と壁ボード６で囲まれた空間が、引き戸５を収納するための戸袋７となっている。また、外枠２内の壁ボード６，６で囲われない開口部側は、出入口８（図２参照）となっている。なお、出入口８側が引き戸５の「戸先５ａ側」であり、戸袋７側が「戸尻５ｂ側」である。
【００１７】
外枠２は、壁ボード６等を支える骨組体であり、左右に配列された戸先側縦枠２１および戸尻側縦枠２２と、この戸先側縦枠２１と戸尻側縦枠２２の上端部間に連結される上横枠２３と、下端部間に連結される下横枠２４とから構成される。
【００１８】
図２は、本発明に係る引き戸ユニットの平面断面図である。
戸先側縦枠２１は、鉛直に立設される長尺角パイプ状の下地材２１ａと、この下地材２１ａに外嵌するコ字状部材２１ｂと、下地材２１ａの引き戸５側に固定されるドア枠２１ｃとから構成され、下地材２１ａおよびコ字状部材２１ｂの正面側および背面側には壁ボード６Ａ，６Ａが取り付けられる。また、ドア枠２１ｃの幅方向中央から少しずれた位置に、ドア枠２１ｃと段差を有する光漏れ防止部材２１ｄがドア枠２１ｃの全長に亘って取り付けられており、引き戸５がドア枠２１ｃに当接したとき、引き戸ユニット１で仕切られた各部屋に互いの光が漏れないようになっている。なお、下地材２１ａの正面側および背面側には、壁ボード６Ａ，６Ａが取り付けられている。
【００１９】
戸尻側縦枠２２は、前記戸先側縦枠２１と所定間隔を空けて鉛直に立設される部材である。戸尻側縦枠２２は、長尺角パイプ状の下地材２２ａと、この下地材２２ａに溶接される部材２２ｂとから構成される。部材２２ｂは、断面略コ字状の長尺部材であり、下地材２２ａとともに、後記する壁ボード６を支持する。また、部材２２ｂの内側にはゴム部材２２ｃが接着されており、このゴム部材２２ｃは引き戸５の戸尻側の戸当たりを緩衝するようになっている。
【００２０】
図３は、本発明に係る引き戸ユニットの側面断面図である。
図３に示すように、上横枠２３は、断面略コ字状の下地材２３ａと、下地材２３ａの下部に強固に溶接される取付部材２３ｂとから構成される。下地材２３ａは開口側が上を向くように、図示しない建物の天井側に取り付けられている。そして、取付部材２３ｂの下部にはレール２３ｃが公知の手段で取り付けられ、このレール２３ｃに沿って後記する引き戸５が摺動できるようになっている。
【００２１】
下横枠２４は、断面略コ字状の長尺部材である。下横枠２４は、図示しない建物の床面側に、開口側が上を向いた状態で、前記上横枠２３と平行に、かつ対峙するように取り付けられている。また、下横枠２４の正面側および背面側には、後記する壁ボード６を貼り付ける際、隙間が生じないようにするための平板２４ａ，２４ａがそれぞれ溶接されている。なお、床面への固定方法は、釘打ち、ビス止め、接着等、種々の手段を用いることができる。
【００２２】
再び図２に戻って示すように、中枠３は、外枠２の正面側と背面側に、一対取り付けられており、外枠２を補強している。中枠３は、その上端部および下端部が外枠２の上横枠２３および下横枠２４（図１参照）にそれぞれ溶接される接合部３１と、その接合部３１から外向き、かつ直角に立ち上がった補強材取付部３２とから、断面略Ｌ字状に形成される長尺部材である。外枠２に対して中枠３を取り付けるときは、補強材取付部３２と前記ドア枠２１ｃの間の間隔Ｌ１が、引き戸５の横長さ以上（好ましくは、横長さと略同一の長さ）になるように、かつ、補強材取付部３２が接合部３１より戸先５ａ側に位置するように配置されている。なお、外枠２に対する中枠３の取付手段は、溶接に限定されるものではなく、両面テープ、接着剤等種々の手段を採用することができる。ちなみに、従来の間仕切りでは、タッピングビス等で下地材を留め付けることが多かったが、外枠２内にビスが飛び出て引き戸５等に傷が付くことを防止するため、本実施形態では、前記手段を採用した。
【００２３】
補強材４は、補強材取付部３２の全長に亘って取り付けられる角パイプであり、中枠３とともに中央枠として機能するとともに、中枠３をさらに補強する。補強材４は、補強材取付部３２より戸先５ａ側に配置され、引き戸５の戸先５ａ側がドア枠２１ｃに当接するとき、引き戸５の戸尻５ｂ側を被覆するようになっている。この補強材４が取り付けられていることで、出入口８の大きさを引き戸５の大きさより若干小さくなるように調節することができる（図１参照）。なお、補強材取付部３２に対する補強材４の取付手段は、取り外し可能な両面テープ、接着剤等、種々の手段を採用することができる。
【００２４】
また、補強材取付部３２およびこの補強材取付部３２に取り付けられる補強材４には、その外側から、カバー部材９が被せられている。カバー部材９は、断面略コ字状の部材で、補強材取付部３２および補強材４に嵌合できるようになっており、これらの取付強度を確保することができるとともに、互いの取付部分を覆うため、見栄えも良くすることができる。なお、カバー部材９に引き戸５等と外観を合わせた薄い化粧シート等を貼り付けておくと、一層見栄えが良い。
【００２５】
図３に示すように、引き戸５には、その上部に固定されるローラ保持部材５１と、このローラ保持部材５１に回転自在に支持される一対のローラ５２，５２とが取り付けられている。ローラ５２，５２は前記したレール２３ｃ内を転動するようになっており、これにより、引き戸５は、レール２３ｃに吊り下げられた状態で、レール２３ｃに沿って移動自在になっている。
【００２６】
図１から図３に示すように、壁ボード６は、その表面に壁クロス等を貼られた矩形状の壁材であり、例えば、従来用いられている石膏ボード、硬質石膏ボード等から構成されるものである。壁ボード６は、補強材４とともに外枠２の正面側および背面側に、両面テープ、接着剤等で貼り付けられており、外枠２の正面側および背面側（前後方向両側）でそれぞれ強度を確保することができる。また、図２に示すように、壁ボード６は、中枠３の補強材取付部３２との間に若干隙間を設けて、中枠３の接合部３１と戸尻側縦枠２２間を連結するように取り付けられている。補強材取付部３２と壁ボード６の間の隙間には、前記したカバー部材９の一辺がはめ込まれるようになっている。
【００２７】
従って、引き戸ユニット１では、補強材４で外枠２の強度を確保できる関係上、壁ボード６の壁厚を薄くでき、全体として薄型に仕上げることができる。そのため、引き戸ユニット１を貼り付けられる壁ボード６，６の厚みも含めて、取り付けられる建物の壁厚内に納めることができ、デザイン性、機能性に優れる。また、薄型の引き戸ユニット１は、従来設計における壁厚モジュールをそのまま使用することができることから、既存建物のリフォームにも使用することができる。さらに、従来用いられる石膏ボードを使用することができるので、遮音性、および、防火性も確保することができ、仕上げの壁クロス張りも従来どおり処理、施工することができる。
【００２８】
ちなみに、壁ボード６は、戸尻側縦枠２２の下地材２２ａに、従来どおりビスＶで留め付けられることで、強固に固定される。また、壁ボード６は、戸尻側縦枠２２の部材２２ｂおよび中枠３の接合部３１には両面テープ等で固定することで、外枠２内にビス等が突出して建具を傷つけるようなことがなく、簡易に固定することができる。なお、部材２２ｂに接着されるゴム部材２２ｃが、戸先側縦枠２１方向に大きく突出する形状に形成されている場合は、ゴム部材２２ｃの先端部より基端部寄りであれば、壁ボード６を部材２２ｂにビス止めしてもよい。引き戸５の戸尻５ｂ側は、ゴム部材２２ｃの先端部に当接することで移動限界に達するため、ゴム部材２２ｃの基端部側でビスが突出していても、引き戸５を傷つけることがないからである。
【００２９】
そして、前記したように壁ボード６，６間に挟まれた空間が戸袋７として構成される空間であり、補強材４から戸先側縦枠２１までの開口部が出入口８となっている。引き戸５が戸袋７内に収納されているときが、引き戸５の開状態であり、この開状態から、引き戸５が出入口８側に移動して出入口８を覆うときが、引き戸５の閉状態である。
【００３０】
以上のように構成される引き戸ユニット１の組立方法について、以下説明する。図４は、一方（正面側）の中枠に補強材を貼り付ける手順について説明する図である。
まず、図１に示す中枠３が接合された外枠２を、図示しない建物の開口部に取り付けて固定する。また、同時に、レール２３ｃを上横枠２３に公知の手段で取り付ける。そして、図２に示すように、壁ボード６，６を中枠３の補強材取付部３２と若干の隙間を設け、接合部３１および戸尻側縦枠２２間を覆うように、両面テープ、ビスＶ等を介して外枠２に取り付ける。これにより、壁ボード６，６間に戸袋７を形成することができる。そして、接合部３１に壁ボード６が貼り付けられた後、外枠２内に引き戸５を設置する。このとき、補強材４が未設置である分、出入口８の開口部の方が引き戸５の横長さより長いため、引き戸５を出入口８に対して正面に向けた状態で外枠２内に取り付けることができる。つまり、従来のように、戸袋７に対して斜めに挿入しながらの取付方法ではないため、中枠３や補強材４に引き戸５を引っ掛けて傷つけることがない。
【００３１】
そして、図４（ａ）に示すように、外枠２に壁ボード６を取り付けた後、図４（ｂ）に示すように、補強材取付部３２の戸先５ａ側に補強材４を取り外し可能な両面テープで固定する。その後、図４（ｃ）に示すように、補強材取付部３２と補強材４にカバー部材９を被せ、両面テープ等で着脱自在に取り付けることで、補強材取付部３２と補強材４の取付強度を確保するとともに、見栄えを良くする。
【００３２】
以上によれば、本実施形態において以下の効果を得ることができる。
まず、壁ボード６を外枠２に固定した後、引き戸５を設置することができるため、引き戸５を施工中に傷つけることなく、外枠２や中枠３の養生も不要であるため、ローコストの施工が可能になる。
【００３３】
また、補強材４を後から取り付けることができるため、引き戸５を出入口８に対して正面に向けた状態で設置することができ、従来の設置時のように、引き戸５を外枠２や中枠３に引っ掛けて傷付けることがない。
さらに、引き戸ユニット１は、補強材４で強度を確保できるため、薄い壁ボード６，６を用いることができ、全体として薄型に仕上げることができる。そのため、デザイン性、機能性に優れる。
【００３４】
さらに、カバー部材９および補強材４は取り外し可能であることから、これらを取り外して、引き戸５の取り外すことができるため、引き戸５のメンテナンスを容易にすることができる。
【００３５】
以上、本実施形態の引き戸ユニット１について説明したが、本発明はこれに限定されるものではない。
例えば、本実施形態では、上吊式の引き戸５として説明したが、下部にローラを有する戸車式の引き戸にも対応することができる。
【００３６】
次に、本発明の引き戸ユニットの第２の実施形態について説明する。図５は第２の実施形態に係る引き戸ユニットの平面断面図である。なお、第２の実施形態は、第１の実施形態の構成要素を一部変更したものであるので、同一の構成要素については同一の符号を付し、その説明を省略するものとする。
【００３７】
第２の実施形態に係る引き戸ユニットは、図５に示すように、戸尻側縦枠２２および戸先側縦枠２５とこれらの上下端部に連結される横枠（図示省略）とから方形枠状に形成された外枠と、この外枠の前後方向両側に接合される一対の中枠３，３と、この中枠３の戸先側面に取り付けられる補強材４と、外枠内を移動する上吊式の引き戸５とを備えて構成されている。そして、外枠２の両側には、壁ボード６，６が貼り付けられており、壁ボード６，６間の空間が、引き戸５を収納するための戸袋７となっている。また、壁ボード６，６が貼り付けられない開口部側は、出入口８となっている。なお、出入口８側が引き戸５の「戸先５ａ側」であり、戸袋７側が「戸尻５ｂ側」である。つまり、第２の実施形態では、第１の実施形態に係る引き戸ユニットの戸先側縦枠２１を変形し、戸先側縦枠２５として形成した。
【００３８】
戸先側縦枠２５は、鉛直に立設される長尺角パイプ状の下地材２５ａと、この下地材２５ａに外嵌するコ字状部材２５ｂと、下地材２５ａの引き戸５側に固定されるドア枠２５ｃとから構成され、下地材２５ａおよびコ字状部材２５ｂの正面側および背面側には壁ボード６Ａ，６Ａが取り付けられる。下地材２５ａにコ字状部材２５ｂを外嵌することで、下地材２５ａを補強することができる。
【００３９】
また、ドア枠２５ｃの引き戸５側には、上下方向に形成される溝状の凹部２５ｄが設けられており、この凹部２５ｄには着脱自在な嵌入部材２６が嵌入されている。凹部２５ｄは、凹部２５ｄから前記補強材４までの間隔Ｌ２が引き戸５の横長さ以上であるように形成され、嵌入された嵌入部材２６から前記補強材４までの間隔は、引き戸５の横長さ以下であるようになっている。なお、嵌入部材２６は、凹部２５ｄに嵌入した状態で少し段差があるように形成することで、引き戸５の戸先５ａ側が嵌入部材２６に当接したときに、引き戸ユニットが間仕切る各部屋の光が互いに漏れないようにすることができる。ちなみに、嵌入部材２６をゴム部材等の弾性部材で形成することで、引き戸５の戸当たりを緩衝することもできる。
【００４０】
以上によれば、本実施形態において以下の効果を得ることができる。
本実施形態では、引き戸５の戸先側縦枠２５に凹部２５ｄが設けられているため、補強材４を中枠３に取り付けた後であっても、引き戸５をこの凹部２５ｄに挿入しながら外枠内に設置することができる。
また、引き戸５を設置した後、凹部２５ｄに嵌入部材２６を装着することで、引き戸５の戸先５ａ側が嵌入部材２６に当接するときは、出入口８の開口部を必ず覆うようにすることができる。
さらに、引き戸５のメンテナンス時は、嵌入部材２６を取り外し、凹部２５ｄに引き戸５を挿入しながら、戸尻５ｂ側を外側に引き出すことで、引き戸５を外枠内から取り外すことが容易にできる。
【００４１】
以上、本実施形態について説明したが、本発明はこれに限定されるものではない。
第２の実施形態は、以下のように変形して実施することもできる。図６は、第２の実施形態における中枠部分の変形例を示す平面断面図である。
【００４２】
図６に示すように、第２の実施形態における中枠３の代替品として、端部に角材４’（補強部材）を溶接した平板３’を用いてもよい。この平板３’には、前記実施形態同様に、壁ボード６を両面テープ等で貼り付けることができる。また、角材４’には、断面略コ字状の樹脂製のカバー部材９’を両面テープで固定する。角材４’では、外枠の強度をより高めることができる。
【図面の簡単な説明】
【００４３】
【図１】第１の実施形態に係る引き戸ユニットの一部破断斜視図である。
【図２】第１の実施形態に係る引き戸ユニットの平面断面図である。
【図３】第１の実施形態に係る引き戸ユニットの側面断面図である。
【図４】一方（正面側）の中枠に補強材を貼り付ける手順について説明する図である。
【図５】第２の実施形態に係る引き戸ユニットの平面断面図である。
【図６】第２の実施形態における中枠部分の変形例を示す平面断面図である。
【符号の説明】
【００４４】
１      引き戸ユニット
２      外枠
３      中枠
４      補強材
５      引き戸
５ａ    戸先
５ｂ    戸尻
６      壁ボード
７      戸袋
８      出入口
９      カバー部材
２１    戸先側縦枠
２２    戸尻側縦枠
２３    上横枠
２４    下横枠
２５    戸先側縦枠
２５ｄ  凹部
２６    嵌入部材
Ｌ１    間隔
Ｌ２    間隔
【図１】
2006002476.tif 000003
【図２】
2006002476.tif 000004
【図３】
2006002476.tif 000005
【図４】
2006002476.tif 000006
【図５】
2006002476.tif 000007
【図６】
2006002476.tif 000008